(57)【要約】      （修正有）【課題】床に畳又はマットを敷設するだけで、床暖房機能を実現することができる畳又はマットからなる敷き具を提供する。【解決手段】畳本体１と、遠赤外線を放射する発熱体２と、発熱体２の温度を管理する制御部３とで構成する。畳本体１は、畳床１０と畳表１１とで構成され、畳床１０は断面矩形状で稲わらを編んだもの、木板とクッション材を積層したもの、合成樹脂製の発泡体等を用いて形成している。畳表１１は、断面矩形状で天然のイグサ、和紙、熱可塑性樹脂製のいわゆる模造イグサ等を用いて形成している。畳床１０には畳床１０の上面に形成している凹部１０ａ内に遠赤外線を放射する発熱体２が埋設され、発熱体２には、家庭用の１００Ｖ電源から電力が供給される電力供給線４が接続され、電熱線２１が発熱すると、電熱線２１の上面に配置している鋼板２２が温められ、その鋼板２２の上面に塗布されているセラミック２３より遠赤外線が放射される。【選択図】図１
2017128946.tif 000002
【特許請求の範囲】
【請求項１】
敷き具本体と、
前記敷き具本体内に埋設され、遠赤外線を放射する発熱体と、を有してなる畳又はマットからなる敷き具。
【請求項２】
前記発熱体は、
断熱層と、
前記断熱層上に配置される電力が供給されることにより発熱する熱源層と、
前記熱源層上に配置される鋼板層と、
前記鋼板層上に配置される発熱によって遠赤外線を放射するセラミック層と、を有してなる請求項１に記載の畳又はマットからなる敷き具。
【請求項３】
前記熱源層の温度を所望温度に制御する制御部をさらに有してなる請求項２に記載の畳又はマットからなる敷き具。
【発明の詳細な説明】
【技術分野】
【０００１】
本発明は、床暖房機能を実現することができる畳又はマットからなる敷き具に関する。
【背景技術】
【０００２】
従来の畳として、例えば、特許文献１に記載のような畳が知られている。この畳は、畳床に炭材を内蔵させ、畳の調湿性能や消臭性能を高めようとするものである。
【０００３】
また、従来のマットとして、例えば、特許文献２に記載のようなマットが知られている。このマットは、背骨に負担をかけずに好ましい寝姿勢を保ち、床ずれの起きない快適で通気性に富んだものである。
【先行技術文献】
【特許文献】
【０００４】
【特許文献１】特開平１０−２１２８１５号公報
【特許文献２】特開平１０−３１３９７９号公報
【発明の概要】
【発明が解決しようとする課題】
【０００５】
しかしながら、上記のような畳は、畳の調湿性能や消臭性能を高めることができるものの、畳の保温性を向上させることができないという問題があった。
【０００６】
また、上記のようなマットは、床ずれの起きない快適で通気性に富んだマットであるものの、保温性が低いという問題があった。
【０００７】
そこで、本発明は、上記問題に鑑み、床に畳又はマットを敷設するだけで、床暖房機能を実現することができる畳又はマットからなる敷き具を提供することを目的としている。
【課題を解決するための手段】
【０００８】
上記本発明の目的は、以下の手段によって達成される。なお、括弧内は、後述する実施形態の参照符号を付したものであるが、本発明はこれに限定されるものではない。
【０００９】
請求項１の発明によれば、敷き具本体（畳本体１、マット本体１００）と、
前記敷き具本体（畳本体１、マット本体１００）内に埋設され、遠赤外線を放射する発熱体（２）と、を有してなる畳又はマットからなる敷き具であることを特徴としている。
【００１０】
そして、請求項２の発明によれば、上記請求項１に記載の畳又はマットからなる敷き具において、
前記発熱体（２）は、
断熱層（断熱材２０）と、
前記断熱層（断熱材２０）上に配置される電力が供給されることにより発熱する熱源層（電熱線２１）と、
前記熱源層（電熱線２１）上に配置される鋼板層（鋼板２２）と、
前記鋼板層（鋼板２２）上に配置される発熱によって遠赤外線を放射するセラミック層（セラミック２３）と、を有してなることを特徴としている。
【００１１】
そしてさらに、請求項３の発明によれば、上記請求項２に記載の畳又はマットからなる敷き具において、前記熱源層（電熱線２１）の温度を所望温度に制御する制御部（３）をさらに有してなることを特徴としている。
【発明の効果】
【００１２】
次に、本発明の効果について、図面の参照符号を付して説明する。なお、括弧内は、後述する実施形態の参照符号を付したものであるが、本発明はこれに限定されるものではない。
【００１３】
請求項１に係る発明によれば、敷き具本体（畳本体１、マット本体１００）内に遠赤外線を放射する発熱体（２）が埋設されているから、敷き具本体（畳本体１、マット本体１００）より遠赤外線が放射されることとなる。これにより、床に畳（Ｔ）又はマット（Ｍ）を敷設するだけで、床暖房機能を実現することができる。
【００１４】
また、請求項２に係る発明によれば、発熱体（２）は、断熱層（断熱材２０）と、その断熱層（断熱材２０）上に電力が供給されることにより発熱する熱源層（電熱線２１）が配置され、その熱源層（電熱線２１）上に、発熱によって遠赤外線を放射するセラミック層（セラミック２３）が配置された鋼板層（鋼板２２）が配置されるという構成であることから、熱源層（電熱線２１）に電力を供給するだけで、鋼板層（鋼板２２）が温められ、もって、セラミック層（セラミック２３）より遠赤外線が放射されることとなる。それゆえ、簡易な方法で、遠赤外線を放射させることができる。
【００１５】
さらに、請求項３に係る発明によれば、熱源層（電熱線２１）の温度は、制御部（３）によって、所望温度に維持されることとなるから、過熱して畳（Ｔ）又はマット（Ｍ）が発火する恐れを低減させることができる。これにより、畳（Ｔ）又はマット（Ｍ）の温度が所望温度に維持されるから、軽い掛け布団だけでも暖かくなる。また、起床後、所望温度を高く設定しておけば、その温度が維持されるため、３〜５時間程度で、敷き具本体（畳本体１、マット本体１００）上に敷かれた敷布団がふかふかになると共に、ダニ退治もすることができる。
【図面の簡単な説明】
【００１６】
【図１】（ａ）は本発明の一実施形態に係る畳の断面図、（ｂ）は（ａ）に示す発熱体の断面図である。
【図２】同実施形態に係る制御部にて、電熱線の温度を所望温度に維持するための処理を説明したフローチャート図である。
【図３】本発明の一実施形態に係るマットの断面図である。
【発明を実施するための形態】
【００１７】
以下、本発明に係る敷き具のうち畳の一実施形態を、図１〜図２を参照して具体的に説明する。なお、以下の説明において、上下左右の方向を示す場合は、図示正面から見た場合の上下左右をいうものとする。
【００１８】
図１（ａ）に示すように、本実施形態に係る畳Ｔは、畳本体１と、遠赤外線を放射する発熱体２と、発熱体２の温度を管理する制御部３とで構成されている。畳本体１は、図１（ａ）に示すように、畳床１０と、畳表１１とで構成されており、畳床１０は、図１（ａ）に示すように、断面矩形状に形成され、稲わらを編んだもの、木板とクッション材を積層したもの、合成樹脂製の発泡体等を用いて形成されている。なお、発泡体としては、ポリウレタン、ＥＶＡ、架橋ポリエチレン、ポリプロピレン、ポリエチレン等の発泡体や、ウレタンフォームや発泡スチロール等が用いられる。
【００１９】
一方、畳表１１は、図１（ａ）に示すように、断面矩形状に形成され、横糸状物として天然のイグサ、あるいは、和紙、熱可塑性樹脂製の糸状物からなるいわゆる模造イグサ等を用いて形成されている。
【００２０】
かくして、このように形成される畳床１０には、図１（ａ）に示すように、畳床１０の上面に形成されている凹部１０ａ内に遠赤外線を放射する発熱体２が埋設されている。そして、このように発熱体２が埋設されている畳床１０の上面を覆うように畳表１１が畳床１０の上面に配置され、麻糸等により縫着される。これにより、畳本体１が形成されることとなる。
【００２１】
発熱体２は、図１（ｂ）に示すように、断面矩形状に形成され、複数の層で形成されている。この複数の層のうち、最下層には、アルミナ、窒化ケイ素、ジルコニア等のセラミックやセラミックファイバーモールド等で形成される断熱材２０が配置され、その上面には、特殊合金等からなるコイル状に形成された電熱線２１が配置されている。そして、その電熱線２１の上面には、ガルバリウム鋼板などの耐候性、耐食性に優れた鋼板２２が配置され、その上面には、遠赤外線を放射するセラミック２３が塗布されている。
【００２２】
かくして、このように形成される発熱体２には、図１（ａ）に示すように、家庭用の１００Ｖ電源から電力が供給される電力供給線４が接続されている。より詳しくは、図１（ｂ）に示すように、発熱体２の電熱線２１に電力供給線４が接続されている。これにより、電熱線２１に、電力供給線４を介して、家庭用の１００Ｖ電源から電力が供給されることとなり、もって、電熱線２１が発熱することとなる。電熱線２１が発熱すると、電熱線２１の上面に配置されている鋼板２２が温められ、もって、その鋼板２２の上面に塗布されているセラミック２３より遠赤外線が放射されることとなる。
【００２３】
しかして、このように、発熱体２より遠赤外線が放射されると、この発熱体２が畳床１０に埋設されているから、畳本体１（畳表１１）の上面より遠赤外線が放射されることとなり、もって、畳が温められることとなる。これにより、畳が持つ元来の機能である保温性を向上させることができる。
【００２４】
ところで、発熱体２の電熱線２１には、図１（ｂ）に示すように、電熱線２１の温度を検知する温度センサ２１ａが組み込まれている。この温度センサ２１ａにて検知された温度データは、図１（ｂ）に示すように、制御部３に出力される。制御部３は、この温度データを受けて、発熱体２の温度、すなわち、電熱線２１の温度を管理することとなる。
【００２５】
制御部３は、図１（ａ）に示すように、畳本体１（畳表１１）の上面右側に配置され、電力供給線４が接続されている。そして、この制御部３は、１５℃〜６０℃の１０段階で温度設定が出来るようになっている。すなわち、１段階目が１５℃、２段階目が２０℃、３段階目が３０℃、というように、５℃刻みで温度を設定できるようになっている。
【００２６】
かくして、このように形成される制御部３は、電力供給線４を介して、家庭用の１００Ｖ電源から電力が供給されると、図２に示すように、まず、温度センサ２１ａ（図１（ｂ）参照）にて検知された温度データを受信する（ステップＳ１）。
【００２７】
次いで、制御部３は、１５℃〜６０℃の１０段階の温度設定のうち、使用者が例えば、４０℃に温度設定していた場合、所望温度である４０℃に達したか否かを確認する（ステップＳ２）。所望温度（例えば、４０℃）に達していなければ（ステップＳ２：ＮＯ）、再びステップＳ１の処理に戻り、所望温度（例えば、４０℃）に達するまで、ステップＳ１〜Ｓ２の処理を繰り返す。
【００２８】
一方、所望温度（例えば、４０℃）に達すれば（ステップＳ２：ＹＥＳ）、制御部３は、その所望温度（例えば、４０℃）が維持されるよう、電熱線２１に流れる電流値を制御する（ステップＳ３）。これにより、電熱線２１の温度が所望温度（例えば、４０℃）で維持されることとなる。
【００２９】
しかして、以上説明した本実施形態によれば、畳本体１内に遠赤外線を放射する発熱体２が埋設されているから、畳本体１より遠赤外線が放射されることとなる。これにより、床に畳Ｔを敷設するだけで、床暖房機能を実現することができる。
【００３０】
また、発熱体２は、断熱材２０と、その断熱材２０上に電力が供給されることにより発熱する電熱線２１が配置され、その電熱線２１上に、遠赤外線を放射するセラミック２３が塗布された鋼板２２が配置されるという構成であることから、電熱線２１に電力を供給するだけで、鋼板２２が温められ、もって、セラミック２３より遠赤外線が放射されることとなる。それゆえ、簡易な方法で、遠赤外線を放射させることができる。
【００３１】
また、電熱線２１の温度は、制御部３によって、所望温度に維持されることとなるから、過熱して畳Ｔが発火する恐れを低減させることができる。これにより、畳Ｔの温度が所望温度に維持されるから、軽い掛け布団だけでも暖かくなる。また、起床後、所望温度を高く設定しておけば、その温度が維持されるため、３〜５時間程度で、畳本体１上に敷かれた敷布団がふかふかになると共に、ダニ退治もすることができる。
【００３２】
なお、本実施形態にて説明した畳本体１は、あくまで一例であり、発熱体２を埋設できるのであれば、どのような畳本体の構成でも良い。
【００３３】
一方、本発明に係る敷き具のうちマットは、上記説明した畳と同じ構成となっている。すなわち、図３に示すように、本実施形態に係るマットＭは、マット本体１００と、遠赤外線を放射する発熱体２と、発熱体２の温度を管理する制御部３とで構成されている。そしてこの発熱体２は、図３に示すように、マット本体１００内に形成されている孔部１００ａ内に埋設されている。そしてさらに、この発熱体２は、上記説明した畳と同じく、制御部３にて、温度管理されている。
【００３４】
しかして、以上説明した本実施形態に係るマットＭは、上記説明した畳Ｔと同一の構成であるから、畳Ｔと同一の作用効果を奏する。
【００３５】
なお、本実施形態にて説明したマット本体１００は、あくまで一例であり、発熱体２を埋設できるものであれば、どのようなマット本体の構成でも良い。
【符号の説明】
【００３６】
Ｔ              畳
１              畳本体（敷き具本体）
２              発熱体
３              制御部
２０            断熱材（断熱層）
２１            電熱線（熱源層）
２２            鋼板（鋼板層）
２３            セラミック（セラミック層）
Ｍ              マット
１００          マット本体（敷き具本体）
【図１】
2017128946.tif 000003
【図２】
2017128946.tif 000004
【図３】
2017128946.tif 000005